(57)【要約】【課題】開閉操作を要さず蓋体が自動的に開閉するようにし、利便性を向上させるとともに、衛生的に使用できるゴミ箱を提供する。【解決手段】ゴミ箱本体１の上端開口縁に着脱自在に装着される枠状体２を形成し、該枠状体の内側にモータ１０によって開閉動される蓋体３をヒンジし、該枠状体の前面に赤外線センサ１２を設け、該センサによって物体の動きが感知されることにより前記モータが作動して該蓋体を自動的に開かせるとともに、該センサによって物体の動きが感知されない場合に該蓋体を自動的に閉じさせる開閉制御基板１６を該枠状体内に設けた。また、モータと蓋体とを減速歯車群を介して連繋するとともに、蓋体を開方向に付勢するバネ５を設け、さらに蓋体の内面に殺菌灯１７を設ける。【選択図】図１
2005170545.tif 000002
【特許請求の範囲】
【請求項１】
ゴミ箱本体の上端開口縁に着脱自在に装着される枠状体を形成し、該枠状体の内側にモータによって開閉動される蓋体をヒンジし、該枠状体の前面に赤外線センサを設け、該センサによって物体の動きが感知されることにより前記モータが作動して該蓋体を自動的に開かせるとともに、該センサによって物体の動きが感知されない場合に該蓋体を自動的に閉じさせる開閉制御基板を該枠状体内に設けたことを特徴とするゴミ箱。
【請求項２】
モータと蓋体とを減速歯車群を介して連繋するとともに、蓋体を開方向に付勢するバネを設けた請求項１に記載のゴミ箱。
【請求項３】
蓋体の内面に殺菌灯を設けたことを特徴とする請求項１または２に記載のゴミ箱。
【発明の詳細な説明】
【技術分野】
【０００１】
本発明は自動的に開閉する蓋体を備えたゴミ箱に関するものである。
【背景技術】
【０００２】
足でペダルを踏むことにより蓋板を開閉できるゴミ箱は従来からよく知られている。また、特許文献１に示されたゴミ箱は、簾状のシャッタブタがゴムベルトの張力によりゴミ捨て後に自動的に閉じられるようにするとともに、シャッタブタを閉じた直後に芳香・消臭または防虫用のスプレー噴霧がされるようにしたものである。
【特許文献１】特開平１１−０５９８０７号公報
【発明の開示】
【発明が解決しようとする課題】
【０００３】
ところで、上記のような足踏みペダルを備えたゴミ箱は、ゴミ箱本体とペダル部と蓋板との分離が困難であったので、ゴミ捨て時に手間が掛かるという問題、突出状に設けられたペダルが通行の邪魔になるという問題がある。また、特許文献１に記載されたゴミ箱はシャッタブタを開ける際にはレバーを手動操作しなければならないので、汚れた手でレバーを触って不潔になり易いという問題、および大きなゴミを両手で持っていると操作し難いという問題がある。
【０００４】
そこで本発明は、開閉操作を要さず蓋体が自動的に開閉するようにし、利便性を著しく向上させるとともに、衛生的に使用できるゴミ箱を提供しようとするものである。
【課題を解決するための手段】
【０００５】
そのために請求項１に記載のゴミ箱は、ゴミ箱本体の上端開口縁に着脱自在に装着される枠状体を形成し、該枠状体の内側にモータによって開閉動される蓋体をヒンジし、該枠状体の前面に赤外線センサを設け、該センサによって物体の動きが感知されることにより前記モータが作動して該蓋体を自動的に開かせるとともに、該センサによって物体の動きが感知されない場合に該蓋体を自動的に閉じさせる開閉制御基板を該枠状体内に設けたことを特徴とする。
【０００６】
また、請求項２に記載の発明は上記ゴミ箱において、モータと蓋体とを減速歯車群を介して連繋するとともに、蓋体を開方向に付勢するバネを設けたことを特徴とする。
【０００７】
また、請求項３に記載の発明は上記ゴミ箱において、蓋体の内面に殺菌灯を設けたことを特徴とする。
【発明の効果】
【０００８】
請求項１に記載のゴミ箱では、開閉操作を要さず蓋体が自動的に開閉し、利便性が高いとともに、衛生的に使用できる。
【０００９】
請求項２に記載の発明では、蓋体の開閉に伴う負荷が軽くなるので、低馬力の直流モータを駆動源としていても蓋体をスムースに開閉できるようになる。
【００１０】
請求項３に記載の発明では、ゴミ箱内のゴミが捨てられるとすぐに殺菌され、常に衛生的に保つことができる。
【実施例１】
【００１１】
次に本発明の実施例を説明する。図１にこのゴミ箱の外観斜視図、図２はその中央縦断面図、図３はその縦断位置をずらしての縦断面図である。１はプラスチックにより成形されたゴミ箱本体、２はこのゴミ箱本体の上端開口縁に着脱自在に装着されるようにプラスチックにより成形された枠状体で、この枠状体は本体部２ａと底面部２ｂとを組み合わせビスにより固着することにより中空状に形成されたものである。３はこの枠状体の内側に合致する大きさに成形されたプラスチック製の蓋体で、この蓋体は図３にも示したように、枠状体２の後辺部前縁上面に形成された複数の軸受部４に支軸４ａを貫挿することにより開閉可能にヒンジされる。また、５は軸受部４に設けた巻きバネで、該巻きバネは蓋体３を上向きに付勢して該蓋体３の重量を負担することにより僅かな力で該蓋体３を開閉できるようにする。また、６は該蓋体３の後縁部に一体に突出状に形成された扇形の歯車である。
【００１２】
また、７は枠状体２の後辺底部に相当する底面部２ｂに形成された電池ボックス、７ａはその電池交換のために底面部２ｂに形成された開閉蓋、８は枠状体２の後側面に設けられた電源スイッチ、９は枠状体２内に設けられ減速歯車群が内蔵されたギヤボックス、１０は該ギヤボックスの側面に固着された直流モータで、該モータの回転軸が該減速歯車群を介し該ギヤボックスの上面に露出している歯車１１に連繋されている。そして該歯車１１を前記歯車６に噛合させている。このため、モータ１０の回転軸が正逆転作動し、その回転数が数十分の１となって歯車１１が正逆転し、歯車６を強力に駆動することにより蓋体３が開閉動し得るようになっている。
【００１３】
また、１２は枠状体２の前部に設けられた赤外線センサ、１３はＬＥＤからなるパイロットランプ、１４は押しボタン式の開操作スイッチ、１５は同じく閉操作スイッチである。また、１６は枠状体２内に設けられた開閉制御基板で、図４のブロック図に示したように、該開閉制御基板１６にこれらの電子部品、および前記電池ボックス７、電源スイッチ８、モータ１０等が配線される。
【００１４】
また、１７は蓋体３の内面に設けられた紫外線殺菌灯で、該殺菌灯１７も開閉制御基板１６に配線され、その点灯が制御される。
【００１５】
赤外線センサ１２は、その直前を移動する人体やゴミ等の物体の動きを感知し、開閉制御基板１６にその検知信号を伝達するもので、開閉制御基板１６はその検知信号を受けるとモータ１０を正回転させ前記減速歯車群を介して蓋体３を図１に示したように自動的に開かせる。また、該赤外線センサ１２が人体やゴミ等の物体の動きを一定時間感知しないと、開閉制御基板１６はモータ１０を逆回転させ図２に示したように蓋体３を自動的に閉じさせる。
【００１６】
このため、両手でゴミを持っていても蓋体３に触れることなく自動的に開き、ゴミ箱本体１内にゴミを投入するのに非常に便利であるとともに、しばらくすると自動的に蓋体３が閉じるので、手を汚すことがなく、また臭いが拡散したり害虫が入ることもないので常に衛生状態を保つことができる。
【００１７】
また、殺菌灯１７は、開閉制御基板１６により点灯が制御され蓋体３は閉じた後の数分間点灯するように設定することにより、一層衛生的に使用することができる。また、殺菌灯１７を蓋体３が閉じた後の数分間だけ限定的に点灯させるようにすることで、乾電池の消耗を防ぐことができる。
【００１８】
また、モータ１０と蓋体３とを減速歯車群を介して連繋するとともに、蓋体３を開方向に付勢するバネ５を設けたことからその重量が相殺され、乾電池を電源とするような低馬力の直流モータ１０を駆動源としていても蓋体３を常にスムースに開閉することができる。
【００１９】
またこのゴミ箱では、枠状体２をゴミ箱本体１から離脱することができ、ゴミ箱本体１だけを持ってゴミ出し場に運ぶことができるとともに、ゴミ箱本体１だけを水洗いにより常に清潔に保つことができ、その際、枠状体２内に設けた開閉制御基板１６を水濡れにより故障させるようなおそれもない。
【００２０】
なお、開閉制御基板１６により赤外線センサ１２の感度設定を調節することができるようになっているが、前記開操作スイッチ１４および閉操作スイッチ１５は、その設定感度に関わりなく蓋体３を開閉したい場合に操作される。また、パイロットランプ１３はその設定状況を表示するために設けられたものである。
【００２１】
また、この実施例のゴミ箱は、乾電池を電源とすることによりどこにでも簡単に手軽に設置できる特長があるが、勿論、商用電源を電源とすることも可能である。
【図面の簡単な説明】
【００２２】
【図１】本発明の実施例であるゴミ箱の斜視図。
【図２】本発明の実施例であるゴミ箱の要部の中央縦断面図。
【図３】本発明の実施例であるゴミ箱の要部の縦断面図。
【図４】本発明の実施例であるゴミ箱の開閉制御回路のブロック図。
【符号の説明】
【００２３】
１      ゴミ箱本体
２      枠状体
３      蓋体
４      軸受部
５      バネ
６      歯車
７      電池ボックス
９      減速歯車群が内蔵されたギヤボックス
１０    モータ
１２    赤外線センサ
１６    開閉制御基板
１７    殺菌灯
【図１】
2005170545.tif 000003
【図２】
2005170545.tif 000004
【図３】
2005170545.tif 000005
【図４】
2005170545.tif 000006